(57)【要約】【課題】複数の飲料などを一体的に収容することができる便利な容器を提供し、容器に装飾をすることで飲料等のイメージアップを図る。【解決手段】個々に取出し口３，３ａを有する透明の容器本体２，２ａを左右一対組合せ、その中間に印刷物等の中間体８を挿入して、容器本体２，２ａにオレンジジュースａやアップルジュースｂを収容し、そしてオレンジジュースａやアップルジュースｂを取出す際、中間体８に表されている果実１０や花１０ａが容器本体２，２ａの中にある様に見えて、広告やアートを楽しむことが出きる。【選択図】　　　図２
0003097599.tif 000002
【実用新案登録請求の範囲】
【請求項１】
個々に取出し口を有する複数の透明な容器を組合せ、その中間に写真、印刷物や装飾品等を挿入し、広告やアートを楽しむことが出きることを特徴とする包装用容器。
【請求項２】
複数の類似した前記容器を組合せることにより、異なる液体を別々に入れられ、混ざることなく注ぐことができることを特徴とする請求項１記載の包装用容器。
【考案の詳細な説明】
【０００１】
【考案の属する技術分野】
本考案は、ジュースや酒等飲料などを収容する包装用容器に関する。
【０００２】
【従来の技術】
従来、ジュースなどを収容するものとして例えば透明なペットボトルなどが周知である。このようなペットボトルは１本のボトルに１種類の飲料が収容されている。そして、広告や写真などは容器の表面についている。
【０００３】
【考案が解決しようとする課題】
従来技術のペットボトルのような透明な容器を複数組合せても、広告やアートを楽しむことはできないという問題がある。
【０００４】
そこで、本考案は、透明な容器を複数組合せて、広告やアートを楽しむことができる包装用容器を提供することを目的とする。
【０００５】
【課題を解決するための手段】
請求項１の考案は、個々に取出し口を有する複数の透明な容器を組合せ、その中間に写真、印刷物や装飾品等を挿入し、広告やアートを楽しむことが出きることを特徴とする包装用容器である。
【０００６】
この請求項１の構成によれば、中間に入れたものが容器の中にある様に見える。
【０００７】
請求項２の考案は、複数の類似した前記容器を組合せることにより、異なる液体を別々に入れられ、混ざることなく注ぐことができることを特徴とする請求項１記載の包装用容器である。
【０００８】
この請求項２の構成によれば、異なる液体を複数の類似した容器に別々に収容することができる。
【０００９】
【考案の実施形態】
以下、本考案の一実施形態を添付図１〜４を参照して説明する。包装用容器１は、左右一対の容器本体２，２ａを組合せたものであり、前記容器本体２，２ａはそれぞれ透明なほぼ半円筒形状であって、両者は類似した形状であり、実施形態では左右対称な形状に形成されて、全体としては円筒形となっている。そして、容器本体２，２ａの上部には個々に取出し口３，３ａを有するようになっており、この取出し口３，３ａにはそれぞれ栓たるキャップ４，４ａが着脱自在に設けられている。そして、容器本体２，２ａにおける対向する側面５，５ａの上部６，６ａのみを接着などにより一体に合せ、容器本体２，２ａを一体化する。そして、前記側面５，５ａにおける縦方向の中央部７，７ａの間に、広告やアートを楽しむためなどの印刷物、装飾品、写真或いは絵等の中間体８を挿入する。実施形態では中間体８は紙などの印刷物であって、その表裏９，９ａにそれぞれきれいな果実１０や花１０ａが表されている。
【００１０】
そして、容器本体２，２ａには異なる液体、例えば一方の容器本体２にはオレンジジュースａを入れ、他方の容器本体２ａにはアップルジュースｂを入れるようにしておく。
【００１１】
次に前記構成についてその作用を説明する。予め左右一対の容器本体２，２ａには、オレンジジュースａ、アップルジュースｂが収容されており、この状態では中間体８に表されている果実１０や花１０ａの模様はジュースａ，ｂに隠れて視認できない。そして、例えばキャップ４を外して取出し口３よりオレンジジュースａをコップ１１に注いで取出し、容器本体２を視認すると、１／３のオレンジジュースａを容器本体２より取出すと果実１０の一部が容器本体２の中にある様に表れる。また一点鎖線で示すように半分のオレンジジュースａを容器本体２より取出すと果実１０のほぼ半分が表れる。さらに全部のオレンジジュースａを容器本体２より取出すと果実１０の全体が図４（ａ）に示すように表れるようになる。同様に容器本体２ａにおいても、アップルジュースｂを取出し口３ａより順次取出すと、花１０ａが図４（ｂ）に示すように容器本体２ａの中にある様に順次表れるものである。
【００１２】
以上のように、前記実施形態では請求項１に対応して個々に取出し口３，３ａを有する透明の容器本体２，２ａを左右一対組合せ、その中間に印刷物等の中間体８を挿入して、前記容器本体２，２ａにオレンジジュースａやアップルジュースｂを収容し、そしてオレンジジュースａやアップルジュースｂを取出す際、中間体８に表されている果実１０や花１０ａが容器本体２，２ａの中にある様に見えて、広告やアートを楽しむことが出きる。
【００１３】
請求項２に対応して、左右一対の類似した前記容器本体２，２ａを合せて、前記容器本体２，２ａに異なるジュースａ，ｂを別々に入れることにより、２種類のジュースａ，ｂを混ざることなく注ぐことことができる
尚、本考案は上記実施形態に限定されるものではなく、本考案の要旨の範囲内において、種々の変形実施が可能である。例えば、図５に示すように容器２１全体の平面は円形であり、これを一つの１／２円筒部と、二つの１／４円筒部によって３つの容器本体２２，２３，２４を形成し、これら容器本体２２，２３，２４にそれぞれ取出し口２５，２６，２７を設け、そして前記容器本体２２，２３，２４の間に写真や印刷物等の中間体２８，２９を挿入して、容器本体２２，２３，２４にそれぞれ収容された液の量などを確実に視認することができるようにしてもよい。
【００１４】
【考案の効果】
請求項１の考案は、個々に取出し口を有する複数の透明な容器を組合せ、その中間に写真、印刷物や装飾品等を挿入し、広告やアートを楽しむことが出きることを特徴とする包装用容器であり、中間に挿入したものが容器の中にあるように見えることができる。
【００１５】
請求項２の考案は、複数の類似した前記容器を組合せることにより、異なる液体を別々に入れられ、混ざることなく注ぐことができることを特徴とする請求項１記載の包装用容器であり、複数種の液体における運搬や収納を容易に行うことができる。
【図面の簡単な説明】
【図１】本考案の一実施形態を示す断面図である。
【図２】本考案の一実施形態を示す一部切り欠き斜視図である。
【図３】本考案の一実施形態を示す一部切り欠き分解斜視図である。
【図４】本考案の一実施形態を示す容器を示しており、図４（ａ）は正面図、図４（ｂ）は背面図である。
【図５】本考案の他の実施形態を示す断面図である。
【符号の説明】
１　容器
２，２ａ　容器本体
３，３ａ　取出し口
８　中間体
【図１】
0003097599.tif 000003
【図２】
0003097599.tif 000004
【図３】
0003097599.tif 000005
【図４】
0003097599.tif 000006
【図５】
0003097599.tif 000007
【手続補正書】
【提出日】平成15年7月10日(2003.7.10)
【手続補正１】
【補正対象書類名】明細書
【補正対象項目名】全文
【補正方法】変更
【補正の内容】
【考案の詳細な説明】
【実用新案登録請求の範囲】
【請求項１】個々に取出し口を有する複数の透明な容器を組合せ、前記容器本体における対向する側面を一体に合せて一体化すると共に、その間に中間体を設けることを特徴とする包装用容器。
【請求項２】前記複数の容器は、対称な形状に形成されていることを特徴とする請求項１記載の包装用容器。
【考案の詳細な説明】
【０００１】
【考案の属する技術分野】
本考案は、ジュースや酒等飲料などを収容する包装用容器に関する。
【０００２】
【従来の技術】
従来、ジュースなどを収容するものとして例えば透明なペットボトルなどが周知である。このようなペットボトルは１本のボトルに１種類の飲料が収容されている。そして、広告や写真などは容器の表面についている。
【０００３】
【考案が解決しようとする課題】
従来技術のペットボトルのような透明な容器を複数組合せても、広告やアートを楽しむことはできないという問題がある。
【０００４】
そこで、本考案は、透明な容器を複数組合せて、広告やアートを楽しむことができる包装用容器を提供することを目的とする。
【０００５】
【課題を解決するための手段】
請求項１の考案は、個々に取出し口を有する複数の透明な容器を組合せ、前記容器本体における対向する側面を一体に合せて一体化すると共に、その間に中間体を設けることを特徴とする包装用容器である。
【０００６】
この請求項１の構成によれば、中間に入れたものが容器の中にある様に見える。
【０００７】
請求項２の考案は、前記複数の容器は、対称な形状に形成されていることを特徴とする請求項１記載の包装用容器である。
【０００８】
この請求項２の構成によれば、異なる液体を複数の容器に別々に収容することができる。
【０００９】
【考案の実施形態】
以下、本考案の一実施形態を添付図１〜４を参照して説明する。包装用容器１は、左右一対の容器本体２，２ａを組合せたものであり、前記容器本体２，２ａはそれぞれ透明なほぼ半円筒形状であって、両者は類似した形状であり、実施形態では左右対称な形状に形成されて、全体としては円筒形となっている。そして、容器本体２，２ａの上部には個々に取出し口３，３ａを有するようになっており、この取出し口３，３ａにはそれぞれ栓たるキャップ４，４ａが着脱自在に設けられている。そして、容器本体２，２ａにおける対向する側面５，５ａの上部６，６ａのみを接着などにより一体に合せ、容器本体２，２ａを一体化する。そして、前記側面５，５ａにおける縦方向の中央部７，７ａの間に、広告やアートを楽しむためなどの印刷物、装飾品、写真或いは絵等の中間体８を挿入する。実施形態では中間体８は紙などの印刷物であって、その表裏９，９ａにそれぞれきれいな果実１０や花１０ａが表されている。
【００１０】
そして、容器本体２，２ａには異なる液体、例えば一方の容器本体２にはオレンジジュースａを入れ、他方の容器本体２ａにはアップルジュースｂを入れるようにしておく。
【００１１】
次に前記構成についてその作用を説明する。予め左右一対の容器本体２，２ａには、オレンジジュースａ、アップルジュースｂが収容されており、この状態では中間体８に表されている果実１０や花１０ａの模様はジュースａ，ｂに隠れて視認できない。そして、例えばキャップ４を外して取出し口３よりオレンジジュースａをコップ１１に注いで取出し、容器本体２を視認すると、１／３のオレンジジュースａを容器本体２より取出すと果実１０の一部が容器本体２の中にある様に表れる。また一点鎖線で示すように半分のオレンジジュースａを容器本体２より取出すと果実１０のほぼ半分が表れる。さらに全部のオレンジジュースａを容器本体２より取出すと果実１０の全体が図４（ａ）に示すように表れるようになる。同様に容器本体２ａにおいても、アップルジュースｂを取出し口３ａより順次取出すと、花１０ａが図４（ｂ）に示すように容器本体２ａの中にある様に順次表れるものである。
【００１２】
以上のように、前記実施形態では請求項１に対応して個々に取出し口３，３ａを有する透明の容器本体２，２ａを左右一対組合せ、その中間に印刷物等の中間体８を挿入して、前記容器本体２，２ａにオレンジジュースａやアップルジュースｂを収容し、そしてオレンジジュースａやアップルジュースｂを取出す際、中間体８に表されている果実１０や花１０ａが容器本体２，２ａの中にある様に見えて、広告やアートを楽しむことが出きる。
【００１３】
請求項２に対応して、左右一対の類似した前記容器本体２，２ａを合せて、前記容器本体２，２ａに異なるジュースａ，ｂを別々に入れることにより、２種類のジュースａ，ｂを混ざることなく注ぐことことができる
尚、本考案は上記実施形態に限定されるものではなく、本考案の要旨の範囲内において、種々の変形実施が可能である。例えば、図５に示すように容器２１全体の平面は円形であり、これを一つの１／２円筒部と、二つの１／４円筒部によって３つの容器本体２２，２３，２４を形成し、これら容器本体２２，２３，２４にそれぞれ取出し口２５，２６，２７を設け、そして前記容器本体２２，２３，２４の間に写真や印刷物等の中間体２８，２９を挿入して、容器本体２２，２３，２４にそれぞれ収容された液の量などを確実に視認することができるようにしてもよい。
【００１４】
【考案の効果】
請求項１の考案は、個々に取出し口を有する複数の透明な容器を組合せ、前記容器本体における対向する側面を一体に合せて一体化すると共に、その間に中間体を設けることを特徴とする包装用容器であり、中間に挿入したものが容器の中にあるように見えることができる。
【００１５】
請求項２の考案は、前記複数の容器は、対称な形状に形成されていることを特徴とする請求項１記載の包装用容器であり、複数種の液体における運搬や収納を容易に行うことができる。
【図面の簡単な説明】
【図１】本考案の一実施形態を示す断面図である。
【図２】本考案の一実施形態を示す一部切り欠き斜視図である。
【図３】本考案の一実施形態を示す一部切り欠き分解斜視図である。
【図４】本考案の一実施形態を示す容器を示しており、図４（ａ）は正面図、図４（ｂ）は背面図である。
【図５】本考案の他の実施形態を示す断面図である。
【符号の説明】
１　容器
２，２ａ　容器本体
３，３ａ　取出し口
８　中間体